(57)【要約】【課題】下半身の動きに対して追従しやすく履き心地のよいボクサーパンツを提供する。【解決手段】ボクサーパンツ１００は、前身頃Ｆおよび後身頃Ｂを含む１枚の編地１１０により形成され、前身頃Ｆおよび後身頃Ｂの左右の側縁どうしがウエストラインＷと交差する接合ラインＢＬにより接合され、編地の重なり部分は接合ラインＢＬ以外に存在せず、第１の方向とこの第１の方向と略直交する第２の方向とで伸縮性が異なるヨコ編地を用いて形成される。ボクサーパンツ１００は、ボクサーパンツ１００を着用した起立状態を腹側から見た場合に少なくとも中央部以外は第１の方向（ストレッチラインＳに沿ったよく伸びてよく縮む方向）が斜め方向であり、ボクサーパンツ１００を着用した起立状態を背中側から見て第１の方向（ストレッチラインＳに沿ったよく伸びてよく縮む方向）が上下方向である。【選択図】図１
2020133044.tif 000002
【特許請求の範囲】
【請求項１】
第１の方向と前記第１の方向と略直交する第２の方向とで伸縮性が異なる編地を用いた下半身用衣類であって、
前記下半身用衣類は、前身頃および後身頃を含む少なくとも１枚の編地により形成され、前記前身頃および前記後身頃の左右の側縁どうしがウエストラインと交差する接合ラインにより接合され、
前記第１の方向の伸縮性が前記第２の方向の伸縮性よりも大きく、前記第１の方向が前記第２の方向よりもよく伸びてよく縮み、
平面上に載置した前記下半身用衣類を腹側から見た場合に少なくとも中央部以外は前記第１の方向が斜め方向であり、
平面上に載置した前記下半身用衣類を背中側から見て前記第１の方向が上下方向であることを特徴とする、下半身用衣類。
【請求項２】
第１の方向と前記第１の方向と略直交する第２の方向とで伸縮性が異なる編地を用いた下半身用衣類であって、
前記下半身用衣類は、前身頃および後身頃を含む少なくとも１枚の編地により形成され、前記前身頃および前記後身頃の左右の側縁どうしがウエストラインと交差する接合ラインにより接合され、
前記第１の方向の伸縮性が前記第２の方向の伸縮性よりも大きく、前記第１の方向が前記第２の方向よりもよく伸びてよく縮み、
前記下半身用衣類を着用した起立状態を腹側から見た場合に少なくとも中央部以外は前記第１の方向が斜め方向であり、
前記下半身用衣類を着用した起立状態を背中側から見て前記第１の方向が上下方向であることを特徴とする、下半身用衣類。
【請求項３】
前記下半身用衣類は、下腹部および臀部を少なくとも被覆する下肢用衣類であって、
前記腹側から見た前記第１の方向が、前記下腹部における斜め方向であり、
前記背中側から見た前記第１の方向が、前記臀部における上下方向であることを特徴とする、請求項１または請求項２に記載の下半身用衣類。
【請求項４】
平面上に載置した前記下半身用衣類における前記接合ラインは、略直線状であることを特徴とする、請求項１〜請求項３のいずれかに記載の下半身用衣類。
【請求項５】
前記接合ラインにおいて、前記編地は接着により接合されていることを特徴とする、請求項１〜請求項４のいずれかに記載の下半身用衣類。
【発明の詳細な説明】
【技術分野】
【０００１】
本発明は、脚部と腹部と臀部とを被覆するパンティ部を備えたタイツやストッキング等、腹部と臀部とを被覆する下半身肌着であるボクサーパンツ（ボクサーショーツ）やガードル等の下半身用衣類に関し、下半身の動きに対して追従しやすく履き心地のよい下半身用衣類に関する。なお、本発明における下半身用衣類は男性用および女性用に限定されないことに加えて、少なくとも腹部と臀部とを被覆する下半身用衣類であればよく、脚部を備える場合には脚部を被覆する丈の長さには特に限定されるものではない。また、肌着用であってもスポーツ用であっても構わず、その用途は限定されるものではない。なお、腹部とは主として下腹部を指すものである。
【背景技術】
【０００２】
伸縮性が大きい（よく伸びてよく縮む）生地および／または緊締力の大きい（伸びにくく締め付けて身体に密着する）生地を採用して、これらの生地を適宜使い分けた下半身用衣類が知られている。なお、この生地としては伸縮性の観点から編地が特に好ましい。このような下半身用衣類の１つとして、肌着が挙げられる。ここで、肌着は、均一な着圧分布で良好なフィット感を確保するとともに、身体の動きに対して突っ張り感やだぶつき感が生じることなく、着用時の美観を向上させる機能を備える。
【０００３】
このような肌着の１つであるボクサーパンツは、平面的な基準パターンに沿って裁断された身頃部、マチ部、前立て部の各生地片を縫製することにより構成されている。このような生地片として、日常生活での様々な動作を行なう際に、その動きを妨げないように伸縮性を備えたフライス編等のヨコ編地が用いられることが多い。
しかし、身体を平面上に投影したような平面的なパターンに沿って裁断された生地片を縫製して立体形状に仕立て上げても、三次元の複雑な曲面形状を呈する人の腹部、臀部、脚部に対応するのは極めて困難であり、不快な着圧を回避するためにパターンを大きめに構成すると、だぶつきが生じて脚部が臀部側に引き上がったりして着心地が悪くなるばかりか美観が損なわれるという問題点があった。そのため、本願出願人により、この問題点を解決する肌着が開発されて、特開２０１６−０５０３６７号公報（特許文献１）に開示されている。この特許文献１に開示された肌着は、身頃部と、前立て部と、マチ部とを備え、身頃部と身頃部に形成された前刳りに接合される前立て部とで形成される胴部上縁に腰部緊締部材が設けられ、身頃部と身頃部に形成された股刳りに接合されるマチ部とで脚部を挿通する裾部が形成されている肌着であって、刳り深さ方向に沿って刳り幅が次第に大きくなり刳り幅が最大になる部位を備え、最大刳り深さが臀溝に対応する位置またはその近傍位置となる後股刳りが形成されている。
【先行技術文献】
【特許文献】
【０００４】
【特許文献１】特開２０１６−０５０３６７号公報
【発明の概要】
【発明が解決しようとする課題】
【０００５】
上述した特許文献１に開示された肌着（実施の形態に例示されたボクサーパンツ）によると、後股刳りの刳り幅が刳り深さ方向に沿って次第に大きくなり、刳り幅が最大になる部位を備えているので、刳り幅が小さい部位ほど裾部の生地量が増し、大腿部の周囲、特に臀溝下部で十分な生地量が確保できるようになり、最大刳り深さが臀溝に対応する位置またはその近傍位置に設定されているので、臀部の膨出部位を覆う後身頃の生地量も十分に確保できるようになる。その結果、臀部膨出部から臀溝及び脚部にかけて三次元の複雑な曲面形状に沿ってバランス良く生地が配され、臀部及び大腿部周りの着圧バランスが適正になり、良好なフィット感が得られるようになる点で非常に好ましい。
【０００６】
ところで、本願出願人は、特許文献１の図１０（ａ）に開示された従来の肌着（ボクサーパンツ）のパターン図に鑑みて、特許文献１に開示された肌着とは異なるアプローチで、着用性の好ましい肌着の開発を鋭意進めた。より具体的には、特許文献１に開示された
肌着のようにパターン図の形状を工夫するのではなく、従来のパターン図に第１の方向とこの第１の方向と略直交する第２の方向とで伸縮性が異なるという特性を備えた編地をその方向性を考慮して採用することに着目して開発を鋭意進めた。
【０００７】
しかしながら、このような編地を単に採用しても、着用性の好ましい肌着を容易には実現することができないという問題点があった。
本発明は、従来技術の上述の問題点に鑑みて開発されたものであり、その目的とするところは、主として腹部と臀部とを被覆する下半身用衣類に関し、下半身の動きに対して追従しやすく履き心地のよい下半身用衣類を提供することである。
【課題を解決するための手段】
【０００８】
上記目的を達成するため、本発明に係る下半身用衣類は以下の技術的手段を講じている。
すなわち、本発明のある局面に係る下半身用衣類は、第１の方向と前記第１の方向と略直交する第２の方向とで伸縮性が異なる編地を用いた下半身用衣類であって、前記下半身用衣類は、前身頃および後身頃を含む少なくとも１枚の編地により形成され、前記前身頃および前記後身頃の左右の側縁どうしがウエストラインと交差する接合ラインにより接合され、前記第１の方向の伸縮性が前記第２の方向の伸縮性よりも大きく、前記第１の方向が前記第２の方向よりもよく伸びてよく縮み、平面上に載置した前記下半身用衣類を腹側から見た場合に少なくとも中央部以外は前記第１の方向が斜め方向であり、平面上に載置した前記下半身用衣類を背中側から見て前記第１の方向が上下方向であることを特徴とする。
【０００９】
また、本発明の別の局面に係る下半身用衣類は、第１の方向と前記第１の方向と略直交する第２の方向とで伸縮性が異なる編地を用いた下半身用衣類であって、前記下半身用衣類は、前身頃および後身頃を含む少なくとも１枚の編地により形成され、前記前身頃および前記後身頃の左右の側縁どうしがウエストラインと交差する接合ラインにより接合され、前記第１の方向の伸縮性が前記第２の方向の伸縮性よりも大きく、前記第１の方向が前記第２の方向よりもよく伸びてよく縮み、前記下半身用衣類を着用した起立状態を腹側から見た場合に少なくとも中央部以外は前記第１の方向が斜め方向であり、前記下半身用衣類を着用した起立状態を背中側から見て前記第１の方向が上下方向であることを特徴とする。
【００１０】
好ましくは、前記下半身用衣類は、下腹部および臀部を少なくとも被覆する下肢用衣類であって、前記腹側から見た前記第１の方向が、前記下腹部における斜め方向であり、前記背中側から見た前記第１の方向が、前記臀部における上下方向であるように構成することができる。
さらに好ましくは、平面上に載置した前記下半身用衣類における前記接合ラインは、略直線状であるように構成することができる。
【００１１】
さらに好ましくは、前記接合ラインにおいて、前記編地は接着により接合されているように構成することができる。
【発明の効果】
【００１２】
本発明によれば、下半身の動きに対して追従しやすく履き心地のよい下半身用衣類を提供することができる。
【図面の簡単な説明】
【００１３】
【図１】本発明の第１の実施の形態に係るボクサーパンツを着用した着用者を、（Ａ）腹側から見た正面図および（Ｂ）背中側から見た背面図である。
【図２】図１のボクサーパンツを平面に載置した状態における、（Ａ）正面図および（Ｂ）背面図である。
【図３】図１のボクサーパンツの型紙を示す平面図（紙面表面が肌に当接する面）である。
【図４】図１のボクサーパンツの型紙における第１の方向および第２の方向を説明する平面図である。
【図５】図１のボクサーパンツ以外の本発明の第１の実施の形態の変形例に係るボクサーパンツの型紙を示す平面図である。
【図６】本発明の第２の実施の形態に係るショーツ着用した着用者を、（Ａ）腹側から見た正面図および（Ｂ）背中側から見た背面図である。
【図７】本発明の第２の実施の形態に係るショーツを平面に載置した状態における、（Ａ）腹側から見た正面図および（Ｂ）背中側から見た背面図である。
【図８】図６のショーツの型紙を示す平面図（紙面表面が肌に当接する面）である。
【図９】図６のショーツの型紙における第１の方向および第２の方向を説明する平面図である。
【発明を実施するための形態】
【００１４】
≪第１の実施の形態≫
以下、本発明の第１の実施の形態として、下半身用衣類の一例であるボクサーパンツ１００を、図面に基づき詳しく説明する。なお、本発明に係る下半身用衣類は、ボクサーパンツに限定されるものではなく、主として腹部と臀部とを被覆する下半身用衣類であれば構わず、さらに脚部を被覆する下半身用衣類であっても構わず、脚部を備える場合には脚部を被覆する丈の長さには特に限定されるものではない。
【００１５】
図１（Ａ）はボクサーパンツ１００を着用した着用者の正面図（腹側から見た図）であって、図１（Ｂ）はその背面図（背中側から見た図）であって、図２（Ａ）はボクサーパンツ１００を平面に載置した状態における正面図であって、図２（Ｂ）はその背面図である。これらの図１および図２において伸縮性の大きい第１の方向は、仮想的に図示したストレッチラインＳに沿った方向である。さらに、図３はこのボクサーパンツ１００の型紙を示す平面図（紙面表面が肌に当接する面）であって、図４は図１に示したボクサーパンツ１００の型紙における第１の方向およびその第１の方向に略直交する第２の方向を説明する平面図である。
【００１６】
ここで、このボクサーパンツ１００は膨出部を備えないが、膨出部を備えるようにしても構わない。この膨出部を備えた場合には、ボクサーパンツを着用した起立状態を腹側から見た場合に中央部に表されるとともに、平面上に載置したボクサーパンツを腹側から見た場合に中央部に表される。この膨出部は、男性の局部を収納するための膨らみを実現するためのものであって下腹部Ｕの中央部に備えられている。なお、上述した通り、この膨出部は本発明に係る下半身用衣類に必須の構成要件ではないが（そのため本発明に係る下半身用衣類は男性用および女性用に限定されるものではない）、膨出部を設ける場合には伸縮性の大きい第１の方向が仮想的に図示したストレッチラインＳに沿った方向であることが好ましい。
【００１７】
さらに、このボクサーパンツ１００はシック部を備えないが、膨出部に代えて、または、膨出部に加えて、シック部（股部編地により形成）を備えるようにしても構わない。このシック部は、股部やクロッチ部と呼ばれ、股布やクロッチ布により形成される。なお、上述した通り、このシック部も膨出部と同様に本発明に係る下半身用衣類に必須の構成要件ではなく、シック部を設ける場合には伸縮性の大きい第１の方向が、仮想的に図示したストレッチラインＳに沿った方向であっても構わないし、仮想的に図示したストレッチラインＳに略直交する方向であっても構わないし、他の方向であっても構わない。
【００１８】
これらの図に基づいて、ボクサーパンツ１００について詳しく説明する。
このボクサーパンツ１００は、第１の方向（ストレッチラインＳに沿った方向）とこの第１の方向と略直交する第２の方向とで伸縮性が異なる編地を用いて形成されている。ここでは、第１の方向（ストレッチラインＳに沿った方向）の伸縮性が第２の方向の伸縮性よりも大きく、第１の方向（ストレッチラインＳに沿った方向）が第２の方向よりもよく伸びてよく縮む方向であるとする。
【００１９】
そして、より具体的には、このボクサーパンツ１００は、このような編地としてヨコ編地を採用している。ヨコ編地においては、編糸が進む方向であるヨコ方向が（タテ方向よりも）よく伸びてよく縮む第１の方向（ストレッチラインＳに沿った方向）になる。その結果、ストレッチラインＳに沿った方向がヨコ編地のヨコ方向（第１の方向）でストレッチラインＳに沿った方向と略直交する方向がヨコ編地のタテ方向（第２の方向）になる。
【００２０】
なお、本発明に係る下半身用衣類に用いられる編地はヨコ編地に限定されるものではなくタテ編地であっても構わない、タテ編地においては、編糸が進む方向であるタテ方向が（ヨコ方向よりも）よく伸びてよく縮む第１の方向（ストレッチラインＳに沿った方向）になる。その結果、ストレッチラインＳに沿った方向がタテ編地のタテ方向（第１の方向）でストレッチラインＳに沿った方向と略直交する方向がタテ編地のヨコ方向（第２の方向）になる。
【００２１】
ここで、本発明に係る下半身用衣類の一例であるボクサーパンツの構造（たとえば、編地片（パーツ片）の形状および個数ならびにそれらの接合方法）には様々なものがあり、本発明は特定の構造に限定されるものではなく、後述する技術的特徴を備えたものであれば、どのようなボクサーパンツの構造であっても、ボクサーパンツを構成する編地の種類、編地の型紙（編地片（パーツ片）の形状および個数）およびその編地の接合方法がどのようなものであっても基本的には構わない。そのため、以下に示すボクサーパンツ１００の構造自体は単なる例示でしかない。
【００２２】
このボクサーパンツ１００が備える技術的特徴について説明する。
図１〜図４に示すように、このボクサーパンツ１００は、前身頃Ｆおよび後身頃Ｂを含む少なくとも１枚の編地１１０により形成されている。そして、前身頃Ｆおよび後身頃Ｂの左右の側縁どうしがウエストラインＷと交差する接合ラインＢＬにより接合され、編地の重なり部分は接合ラインＢＬ以外に存在しないことを特徴とする。ここで、図３には、紙面表面が肌に当接する面として、かつ、このボクサーパンツ１００を着用した場合の着用者の身体における左右方向を基準として（この左右方向の基準は他の図でも採用）、左右側縁を表記している。より詳しくは、接合ラインＢＬは、前身頃Ｆの右側縁と後身頃Ｂの右側縁とを接合する右接合ラインＢＬＲと、前身頃Ｆの左側縁と後身頃Ｂの左側縁とを接合する左接合ラインＢＬＬとで構成される。これらの接合方向（編地の側縁の接近方向）は、図３において実線の両矢示で示される。
【００２３】
なお、後述する編地の方向（第１の方向および第２の方向）を好適に配置したことに起因する特段の作用効果が本発明に係る下半身用衣類に確実かつ十分に発現するとともに、接合ライン以外に編地の重なり部分を備えさせることがないのでコストアップにも繋がらないという作用効果を発現するために、本発明に係る下半身用衣類において、編地の重なり部分は接合ライン以外に存在しないことは大きな特徴である。
【００２４】
このボクサーパンツ１００は、図１に示すように、ボクサーパンツ１００を着用した起立状態を腹側から見た場合に少なくとも中央部以外（膨出部以外ともいえる）は第１の方向（ストレッチラインＳに沿った方向）が斜め方向であり、ボクサーパンツ１００を着用した起立状態を背中側から見て第１の方向（ストレッチラインＳに沿った方向）が上下方向であることが技術的特徴である。ここで、このボクサーパンツ１００の着用状態でない平面上に載置した状態（商品としてのボクサーパンツ１００を広げて平面上に載置した状態）であっても、図２に示すように、ボクサーパンツ１００を腹側から見た場合に少なくとも中央部以外（膨出部以外ともいえる）は第１の方向（ストレッチラインＳに沿った方向）が斜め方向であり、背中側から見て第１の方向（ストレッチラインＳに沿った方向）が上下方向である。
【００２５】
すなわち、本発明においては、（１）ボクサーパンツ１００自体を見ただけで編地の方向（第１の方向および第２の方向）が視認できる場合、（２）ボクサーパンツ１００自体を見ただけでは編地の方向（第１の方向および第２の方向）を視認できず着用した状態で編地の方向が視認できる場合、の少なくともいずれかの場合で、このような技術的特徴が視認できれば構わない。たとえば、平面上に載置した状態のボクサーパンツ１００では第１の方向および第２の方向を明確には視認できなかったが、着用してみると第１の方向および第２の方向を明確に視認できる場合を想定することができる。
【００２６】
さらに、このボクサーパンツ１００において、腹側から見た第１の方向が、下腹部Ｕにおける斜め方向であり、背中側から見た第１の方向が、臀部Ｈにおける上下方向である。なお、このボクサーパンツ１００において、下腹部Ｕの下方または臀部Ｈの下方であって脚の上方部分である大腿部（より詳しくは右大腿部Ｒおよび左大腿部Ｌ）は太腿の付け根
を覆う程度に短いが（脚部を長く覆うものではないが）、本発明に係る下半身用衣類においてはこの大腿部の長さは（脚部を備える場合には脚部の長さも）限定されるものではない。すなわち、ここでは、ボクサーパンツ１００は、タイツ等とは異なり、主として下腹部Ｕおよび臀部Ｈを覆い太腿部から足首部までの脚部を覆わないために、図１および図２に示すように、腹側から見た第１の方向が、下腹部Ｕにおける斜め方向であり、背中側から見た第１の方向が臀部Ｈにおける上下方向である。
【００２７】
ただし、このような太腿部から足首部までの脚部を全て覆うタイツや脚部の一部分のみを覆うガードル等を含めボクサーパンツ１００を含めた本発明に係る下半身用衣類における技術的特徴は、腹側から見た場合に少なくとも中央部以外（膨出部以外ともいえる）は第１の方向が、下腹部Ｕにおける斜め方向であり、背中側から見た第１の方向が、臀部Ｈにおける上下方向である。
【００２８】
そして、このボクサーパンツ１００は、図３に示すように、前身頃Ｆおよび後身頃Ｂを含む少なくとも１枚の編地１１０により形成され、上述したように、図３において実線の両矢示で示すように、前身頃Ｆおよび後身頃Ｂの左右の側縁どうしがウエストラインＷと交差する接合ラインＢＬ（右接合ラインＢＬＲおよび左接合ラインＢＬＬ）により接合されている。そして、このボクサーパンツ１００は、図３において点線の両矢示で示すように胴回りおよび左右の太腿周りで筒状になるように接合されている。
【００２９】
本実施の形態においては、この接合方法として縫合を採用しているが、本発明がこの縫合に限定されるものではない。すなわち、接合方法については特定の方法に限定されるものではなく、縫合（縫製による接合、接着に対して縫着）であっても構わないし、接着であっても、さらに別の接合方法であっても構わない。ここでは、接合方法として縫合を用いて、図３に実線の両矢印で示されるように編地を合わせて縫合することにより、このボクサーパンツ１００が形成されている。
【００３０】
ここで、接合方法として接着を用いる場合には、図３に実線の両矢印で示されるように編地を合わせて接着テープを用いて接合することによりこのボクサーパンツ１００を形成することができる。このような接着方法についても限定されるものではないが、帯状部材の一面に接着材が塗布された接着テープであって、加熱することにより接着材が溶融して生地を熱接着して接合するものが好ましい。なお、このように、この接合には、縫合によるもの、熱圧着によるもの、熱溶着によるもの、熱融着によるもの等を含むことになる。
【００３１】
いずれの接合方法であっても、接合ラインＢＬにおいて編地が重なり合わさって接合（縫合、接着等）されていることに違いはない。なお、接合ラインＢＬは、縫合ではなく接着した方が（接合ラインＢＬにおいて編地が接着により接合されている方が）好ましい。このように接合方法として接着を採用すると、接合ラインＢＬに厚みが出にくく、履き心地を損なわない点で好ましい。
【００３２】
さらに、このボクサーパンツ１００を構成する編地として周縁を切りっぱなし仕様とされた編地を採用し、周縁をヘム処理や縁かがりしないで、接合ライン以外に編地の重なり部分を備えさせることなく、さらに（後述する編地の方向（第１の方向および第２の方向）を好適に配置したことに起因する特段の作用効果が発現するので）ウエストラインに腰ゴムを備えないようにした場合（ウエスト部にゴム等でウエストバンド部を形成しないようにした場合）、全体として非常に履き心地が好ましくなる。
【００３３】
また、図２および／または図３に示すように、このボクサーパンツ１００における接合ラインＢＬは、略直線状である。このように接合ラインＢＬが略直線状であると、縫合するにしても接着するにしても、その接合が容易になる。特に、接合方法として接着を用いた場合であって、編地を合わせて接着テープを用いて接合する場合には、直線状の接着テープを用いても接着テープの重なりなく接着できるので、接合ラインＢＬに厚みが出にくく、履き心地を損なわない点で好ましい。
【００３４】
このように、本実施の形態に係るボクサーパンツ１００においては、図３において実線で示す両矢印に示すように接合（縫合、接着等）されて胴回りおよび左右の太腿周りで筒状に形成されるとともに、立体化されて形成されている。
ここで、このボクサーパンツ１００における第１の方向（伸びやすく縮みやすい：地の
目と略直交する方向）および第２の方向（伸びにくく縮みにくい：地の目方向）について図４を用いて説明する。
【００３５】
第１の方向は、図４における太い直線の両矢印のうちの点線で示す方向であって、第２の方向は、図４における太い直線の両矢印のうちの実線で示す方向である。さらに、ウエストラインＷで示される胴回りは、必ずしも直線であることに限定されるものではないが（着圧や履き心地等の観点から通常は湾曲している）、背中側のウエストラインＷの中央部近傍を図４に示した１点鎖線で仮想した場合、背中側のウエストラインＷに対して第１の方向が略直交することになる。なお、この仮想した１点鎖線は、図４に示す点Ｐと点Ｑとを結んだ直線ＰＱとも略一致する直線であるとも言える。
【００３６】
型紙における地の目方向を上述した方向としたために、このボクサーパンツ１００におけるウエストラインＷは、腹側において斜め方向（第１の方向）に伸びやすく縮みやすく、背中側において第１の方向に略直交する伸びにくく縮みにくい第２の方向がウエスト周方向（胴回り方向）になる。
このため、ボクサーパンツ１００においてウエストラインＷにおける背中側は胴回り方向に伸びにくくなるのでウエスト部にゴム等でウエストバンド部を形成しなくてもよくなり、むやみにウエストを締め付けることにより履き心地が悪くなることを回避することができる。なお、本発明に係る下半身用衣類が、ウエスト部にゴム等のウエストバンド部を備えないものに限定されるわけではない。
【００３７】
さらに、ボクサーパンツ１００においてウエストラインＷにおける腹側は斜め方向（第１の方向）に伸びやすく縮みやすいために下半身の動きに対して柔軟に伸縮することができるのでボクサーパンツ１００が身体からずれることを抑制することができる。この作用効果は、腹側および背中側のウエスト周方向（胴回り方向）の全周において（第１の方向に略直交する伸びにくく縮みにくい）第２の方向をウエスト周方向（胴回り方向）としてしまうと実現し得ないものであり、このボクサーパンツ１００においては、背中側においてウエスト周方向（胴回り方向）に伸びにくく縮みにくくして、腹側において斜め方向に伸びやすく縮みやすくしたので、ウエストを締め付けることにより履き心地が悪くなることを回避しつつボクサーパンツ１００が身体からずれることを抑制することができる。
【００３８】
さらに、背中側において伸びやすく縮みやすい第１の方向がウエスト周方向（胴回り方向）と略直交する上下方向であるために、たとえば起立状態から座った状態に下半身を動かした場合に、臀部Ｈにおける上下方向がよく伸びるためにボクサーパンツ１００が身体からずれることを抑制することができる。
ここで、これらのボクサーパンツ１００を形成するヨコ編地は、限定されるものではないが、周縁を切りっぱなし仕様とされた編地で構成することも好ましい。また、周縁を切りっぱなし仕様とされたタテ編みの編地であっても構わない。本実施の形態に係るボクサーパンツ１００では綿ベアフライス編みの編地のポリウレタンを溶着した切りっぱなし仕様のヨコ編地を採用している。このヨコ編地は、周縁を切りっぱなし仕様（状態）のままで使用するために、熱融着性繊維（たとえば、ポリウレタン繊維等の比較的に低融点の熱融着性繊維が好ましくここでは上述したようにポリウレタン）と該繊維よりも高融点の他の繊維（たとえば、綿、ポリエステル、ナイロン、ポリエチレン、キュプラ等の上述した熱融着性繊維よりも高融点の繊維が好ましくここでは上述したように綿）とを含み、予め、熱融着性繊維の融点以上で他の繊維の融点以下の温度で熱セットされて解れ止め処理されるのが好ましい。このように、解れないように周囲が周縁処理（パイピング処理）されていないために肌に直接触れても、履き心地がよいことに加えて、周縁処理のために形成された端部の折り返しの厚みがアウターの衣服に出てしまうこともない。
このように形成され上述した技術的特徴を備えたこのボクサーパンツ１００は、以下のような作用効果を発現することができる。
【００３９】
＜第１の作用効果＞
これらのボクサーパンツ１００におけるウエストラインＷは、腹側において斜め方向（第１の方向）に伸びやすく縮みやすく、背中側においてウエスト周方向（第２の方向）に伸びにくい。このため、背中側が胴回り方向に伸びにくいのでウエスト部にゴム等でウエ
ストバンド部を形成しなくてもよくなるとともに、腹部は斜め方向に伸びやすく縮みやすいので、ボクサーパンツが身体からずれることを抑制することができる。
＜第２の作用効果＞
これらのボクサーパンツ１００における背中側の臀部は上下方向に伸びやすく縮みやすい。このため、起立状態から着座した場合に、臀部において編地が突っ張ってしまうことが発生しないのでスムーズに着座動作できるようになる。
【００４０】
＜第３の作用効果＞
これらのボクサーパンツ１００は、ボクサーパンツ１００の腹側に接合部（接合ライン）を備え背中側に接合部（接合ライン）を備えない。このため、背中側に接合線（接合ライン）が全く存在せず、また他の部位においても接合線（接合ライン）が少ないので、肌に直接触れても、履き心地がよい。
＜第４の作用効果＞
編地片に切りっぱなし仕様の緯編地を採用した場合には、肌に直接触れても、履き心地がよいことに加えて（肌ストレスと着圧とを低減）、周縁処理のために形成された端部の折り返しの厚みがアウターの衣服に出てしまうこともない。さらに、接合方法として（縫合ではなく）接着テープを採用した場合には、縫合線がないので、肌に直接触れても、履き心地のよく、肌ストレスと着圧とをさらに低減することができる。
【００４１】
＜変形例＞
以下において、図５を参照して、本発明の第１の実施の形態の変形例に係るボクサーパンツ２００、ボクサーパンツ３００およびボクサーパンツ４００について説明する。なお、以下の説明においては、上述したボクサーパンツ１００と同じ構成および作用効果については、ここでの詳細な説明は繰り返さない場合がある。
【００４２】
図５（Ｂ）は、図３および図４に対応する図であって比較のために上述したボクサーパンツ１００の型紙を示す平面図であって、図５（Ａ）はボクサーパンツ２００の型紙を示す平面図であって、図５（Ｃ）はボクサーパンツ３００の型紙を示す平面図であって、図５（Ｄ）はボクサーパンツ４００の型紙を示す平面図である。
上述したボクサーパンツ１００を含めて、これらのボクサーパンツ２００、ボクサーパンツ３００およびボクサーパンツ４００は、図５に示すように、その型紙の形状が互いに異なる。しかしながら、型紙形状は異なるものの、これら４つのボクサーパンツは、第１の方向（伸びやすく縮みやすい：地の目と略直交する方向）および第２の方向（伸びにくく縮みにくい：地の目方向）を編地のどの方向に採用していかについて、ならびに、前身頃Ｆおよび後身頃Ｂを含む少なくとも１枚の編地により形成され、前身頃Ｆおよび後身頃Ｂの左右の側縁どうしがウエストラインＷと交差する接合ラインＢＬにより接合され、編地の重なり部分は接合ラインＢＬ以外に存在しないことについて、は同じである。
【００４３】
すなわち、図５（Ａ）〜図５（Ｄ）には、図４と同じく、ボクサーパンツ１００、２００、３００、４００における第１の方向（伸びやすく縮みやすい：地の目と略直交する方向）および第２の方向（伸びにくく縮みにくい：地の目方向）について、第１の方向を太い直線の両矢印のうちの点線で示す方向として、第２の方向を太い直線の両矢印のうちの実線で示す方向として、図示している。このように、これらの変形例に係るボクサーパンツ２００、ボクサーパンツ３００およびボクサーパンツ４００についても、上述したボクサーパンツ１００と同じく第１の方向（伸びやすく縮みやすい：地の目と略直交する方向）および第２の方向（伸びにくく縮みにくい：地の目方向）を編地に好適に採用したために、上述したボクサーパンツ１００と同じ作用効果（上述した＜第１の作用効果＞、＜第２の作用効果＞、＜第３の作用効果＞および＜第４の作用効果＞）を発現できる。
【００４４】
さらに、これらの変形例に係るボクサーパンツ２００、ボクサーパンツ３００およびボクサーパンツ４００についても、上述したボクサーパンツ１００と同じく、前身頃Ｆおよび後身頃Ｂを含む少なくとも１枚の編地１１０（１枚の編地２１０、１枚の編地３１０、１枚の編地４１０）により形成され、前身頃Ｆおよび後身頃Ｂの左右の側縁どうしがウエストラインＷと交差する接合ラインＢＬにより接合され、編地の重なり部分は接合ラインＢＬ以外に存在しない。このように、これらの変形例に係るボクサーパンツ２００、ボクサーパンツ３００およびボクサーパンツ４００についても、上述したボクサーパンツ１００と同じく、これらのボクサーパンツを構成する編地として周縁を切りっぱなし仕様とされた編地を採用し、周縁をヘム処理や縁かがりしないで、接合ライン以外に編地の重なり部分を備えさせることなく、さらに（編地の方向（第１の方向および第２の方向）を好適に配置したことに起因する特段の作用効果が発現するので）ウエストラインに腰ゴムを備えないようにした場合（ウエスト部にゴム等でウエストバンド部を形成しないようにした場合）、全体として非常に履き心地が好ましくなる。
以上のようにして、本実施の形態に係るボクサーパンツによると、主として腹部と臀部とを被覆する下半身用衣類の一例であるボクサーパンツにおいて、下半身の動きに対して追従しやすく履き心地のよいボクサーパンツを提供することができる。
【００４５】
≪第２の実施の形態≫
以下、本発明の第２の実施の形態として、下半身用衣類の一例である（主として女性用の）ショーツ５００を、図面に基づき詳しく説明する。なお、本発明に係る下半身用衣類は、女性用にも男性用にも限定されるものではなく、主として腹部と臀部とを被覆する下半身用衣類であれば構わず、さらに脚部を被覆する下半身用衣類であっても構わず、脚部を備える場合には脚部を被覆する丈の長さには特に限定されるものではない点は、第１の実施の形態と同じである。
【００４６】
図６（Ａ）はショーツ５００を着用した着用者の正面図（腹側から見た図）であって、図６（Ｂ）はその背面図（背中側から見た図）であって、図７（Ａ）はショーツ５００を平面に載置した状態における正面図であって、図７（Ｂ）はその背面図である。これらの図６および図７において伸縮性の大きい第１の方向は、仮想的に図示したストレッチラインＳに沿った方向である。さらに、図８はこのショーツ５００の型紙を示す平面図（紙面表面が肌に当接する面）であって、図９は図６に示したショーツ５００の型紙における第１の方向およびその第１の方向に略直交する第２の方向を説明する平面図である。
【００４７】
ここで、本実施の形態に係るショーツ５００は、上述した第１の実施の形態に係るボクサーパンツ１００（ショーツ５００との比較という点ではボクサーパンツ２００、３００、４００も同じであるために以下においてはボクサーパンツ１００で代表させる）と以下の点で同じであり、同じ構成には同じ符号を付している。
（１）このショーツ５００は、第１の方向（ストレッチラインＳに沿った方向）とこの第１の方向と略直交する第２の方向とで伸縮性が異なる編地を用いて形成されている。ここでは、第１の方向（ストレッチラインＳに沿った方向）の伸縮性が第２の方向の伸縮性よりも大きく、第１の方向（ストレッチラインＳに沿った方向）が第２の方向よりもよく伸びてよく縮む方向であるとする。
【００４８】
（２）このショーツ５００は、図６に示すように、ショーツ５００を着用した起立状態を腹側から見た場合に少なくとも中央部以外（膨出部以外ともいえる）は第１の方向（ストレッチラインＳに沿った方向）が斜め方向であり、ショーツ５００を着用した起立状態を背中側から見て第１の方向（ストレッチラインＳに沿った方向）が上下方向であることが特徴である。ここで、このショーツ５００の着用状態でない平面上に載置した状態（商品としてのショーツ５００を広げて平面上に載置した状態）であっても、図７に示すように、ショーツ５００を腹側から見た場合に少なくとも中央部以外（膨出部以外ともいえる）は第１の方向（ストレッチラインＳに沿った方向）が斜め方向であり、背中側から見て第１の方向（ストレッチラインＳに沿った方向）が上下方向である。
【００４９】
（３）図６〜図９に示すように、このショーツ５００は、（後述するクロッチ編地５２０を除いて）前身頃Ｆおよび後身頃Ｂを含む少なくとも１枚の編地５１０により形成されている。そして、前身頃Ｆおよび後身頃Ｂの左右の側縁どうしがウエストラインＷと交差する接合ラインＢＬにより接合されていることを特徴とする。ここで、図８には、紙面表面が肌に当接する面として、かつ、このショーツ５００を着用した場合の着用者の身体における左右方向を基準として（この左右方向の基準は他の図でも採用）、左右側縁を表記している。より詳しくは、接合ラインＢＬは、前身頃Ｆの右側縁と後身頃Ｂの右側縁とを接合する右接合ラインＢＬＲと、前身頃Ｆの左側縁と後身頃Ｂの左側縁とを接合する左接合ラインＢＬＬとで構成される。これらの接合方向（編地の側縁の接近方向）は、図８において実線の両矢示で示される。そして、これらの接合ラインＢＬがウエストラインＷと交差する。なお、第１の実施の形態に係るボクサーパンツ１００においては編地の重なり部分は接合ラインＢＬ以外に存在しないことを特徴としているが、後述するようにこのショーツ５００においてはこの接合ラインＢＬに加えてクロッチ編地５２０を編地５１０に接合する接合ラインが存在する。この点では、このショーツ５００であっても、下半身用衣類の全体形状を形成するための接合ラインは、この接合ラインＢＬ以外に存在しない。
【００５０】
以下において、これらの特徴とは異なる本実施の形態に係るショーツ５００に特有の特徴を以下に説明するが、それ以外は、第１の実施の形態と同じ符号を付して同じ構成であるので、上述した説明と重複する部分についてはここでは繰り返さない。
図６〜図９に示すように、このショーツ５００は、（上述した第１の実施の形態に係るボクサーパンツ１００と異なり編地１１０に対応する）編地５１０とは別に、股布としてのクロッチ編地５２０を備える。このクロッチ編地５２０は、図８に示す位置に接合される（編地５１０とクロッチ編地５２０との接近方向は図８において一点鎖線の両矢示で示される）。なお、ここでも接合方法は、第１の実施の形態と同様に、縫合、接着等に限定されるものではない。さらに限定されるものではないが、このクロッチ編地５２０における、腹側周縁５２２および背中側周縁５２４が編地５１０にそれぞれ接合され、左右の周縁５２６は編地５１０に接合されていない。
【００５１】
図９に示すように、このクロッチ編地５２０も編地５１０と同様に（全く同じ編地であっても構わないし股布としての特定の機能等を発現させるために別の編地であっても構わないが）、第１の方向（ストレッチラインＳに沿った方向）とこの第１の方向と略直交する第２の方向とで伸縮性が異なる編地を用いて形成されている。ここでは、第１の方向（ストレッチラインＳに沿った方向）の伸縮性が第２の方向の伸縮性よりも大きく、第１の方向（ストレッチラインＳに沿った方向）が第２の方向よりもよく伸びてよく縮む方向であるとする。
【００５２】
そして、図８および図９に示すように、クロッチ編地５２０における第１の方向（ストレッチラインＳに沿った方向）は、編地５１０における第１の方向（ストレッチラインＳに沿った方向）と、略直交する方向であることを特徴とする。上述したように第１の方向の伸縮性が第２の方向の伸縮性よりも大きく第１の方向が第２の方向よりもよく伸びてよく縮み、よく伸びてよく縮む第１の方向をクロッチ編地５２０と編地５１０とで略直交させているために、クロッチ部において腹側から背中側へ伸びやすい編地５１０と伸びにくいクロッチ編地５２０とが接合されて、適切な伸縮性（伸び過ぎることもないが伸びにくさもない）を備えたクロッチ部を実現することができる。
【００５３】
特に、このクロッチ編地５２０における腹側周縁５２２および背中側周縁５２４が編地５１０にそれぞれ接合され、このクロッチ編地５２０における左右の周縁５２６は編地５１０に接合されていない。このため、編地５１０の伸縮性およびクロッチ編地５２０の伸縮性について互いの編地からの自由度を高めてあり、適切な伸縮性を備えたクロッチ部を実現することができている。
【００５４】
より詳しくは、クロッチ編地５２０の伸縮性の大きい方向（左右方向）が編地５１０の伸縮性の小さい方向になるものの、クロッチ編地５２０の左右の周縁５２６が接合されていないためにクロッチ編地５２０の大きな伸縮性が編地５１０による制限を受けることなく、クロッチ編地５２０は伸縮性の大きい第１の方向へよく伸びてよく縮むことができる。
【００５５】
また、クロッチ編地５２０の腹側周縁５２２、背中側周縁５２４および左右の周縁５２６を編地５１０に接合してしまった場合に比べて、編地５１０の伸縮性の大きい方向（前後方向）がクロッチ編地５２０の伸縮性の小さい方向になるものの、編地５１０の大きな伸縮性がクロッチ編地５２０による制限を受けにくく、編地５１０は伸縮性の大きい第１の方向へよく伸びてよく縮むことができる。
【００５６】
なお、このクロッチ編地５２０における腹側周縁５２２および背中側周縁５２４を編地５１０に接合せず、このクロッチ編地５２０における左右の周縁５２６を編地５１０に接
合すると、上述した逆の状態を発現させることができる。
以上のようにして、本実施の形態に係るショーツ５００によると、上述したボクサーパンツ１００と同じく第１の方向（伸びやすく縮みやすい：地の目と略直交する方向）および第２の方向（伸びにくく縮みにくい：地の目方向）を編地に好適に採用したために、上述したボクサーパンツ１００と同じ作用効果（上述した＜第１の作用効果＞、＜第２の作用効果＞、＜第３の作用効果＞および＜第４の作用効果＞）を発現できることに加えて、適切な伸縮性を備えたクロッチ部を実現することができる。
【００５７】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５８】
本発明は、腹部と臀部とを被覆するボクサーパンツ（ボクサーショーツ）、脚部の一部と腹部と臀部とを被覆するガードルまたはパンティ部を備えたタイツまたはストッキング等の下半身用衣類に好適であり、下半身の動きに対して追従しやすく履き心地のよい点で特に好適である。
【符号の説明】
【００５９】
１００  第１の実施の形態に係るボクサーパンツ
１１０  編地
２００  変形例に係るボクサーパンツ（その１）
３００  変形例に係るボクサーパンツ（その２）
４００  変形例に係るボクサーパンツ（その３）
５００  第２の実施の形態に係るショーツ
５１０  編地
５２０  クロッチ編地
【図１】
2020133044.tif 000003
【図２】
2020133044.tif 000004
【図３】
2020133044.tif 000005
【図４】
2020133044.tif 000006
【図５】
2020133044.tif 000007
【図６】
2020133044.tif 000008
【図７】
2020133044.tif 000009
【図８】
2020133044.tif 000010
【図９】
2020133044.tif 000011